(57)【要約】【課題】缶やビンなどの所定の対象物の全域を密着して覆うことができ、非使用時には、伸張方向に対する断面を略平坦に維持することが可能なワンタッチマルチホルダーカバーを提供すること。【解決手段】少なくとも２以上のバネ（コンベックス）材による弾性材を発泡プラスチックシートとジャージ生地で挟み込み、保温及び保護材として瞬時に缶、ボトル等に巻き付けることができ、非使用時には略平坦な形状を維持することを特徴とする。【選択図】図１
0003130970.tif 000002
【実用新案登録請求の範囲】
【請求項１】
少なくとも２以上のバネ（コンベックス）材による弾性材を発泡プラスチックシートとジャージ生地で挟み込み、保温及び保護材として瞬時に缶、ボトル等に巻き付けることができ、非使用時には略平坦な形状を維持することを特徴とするワンタッチマルチホルダーカバー。
【考案の詳細な説明】
【技術分野】
【０００１】    本考案は、缶、ビン及びペットボトルコーヒー、ジュース、ビール等の飲料に用いるワンタッチ、保温、保護マルチホルダーカバーに関するものである。
【背景技術】
【０００２】    従来、自動販売機やコンビニで売られているドリンクを購入し、保温しつつ、携帯して飲む時、発泡ウレタンの筒状のものに入れたり、タオルやハンカチ、発泡プラスチックシートを輪ゴム等で止めて保温し飲んでいる。筒状のものでは、その形や内径が合わないと使用できなかったり、ルーズで持ちずらかったりした。また、発泡プラスティックシートを輪ゴムで止める場合、シートを手で巻きながら輪ゴムを掛けるのは手間である。その上、この２種のタイプでは、携帯に不便で、しかもファッション性もない。
【考案の開示】
【考案が解決しようとする課題】
【０００３】  しかしながら筒状のものやシート状のものを輪ゴムで止めたりする、これら従来の方法による、缶用保温カバーは、保温は出来ても使用上や携帯に難があった。そこで本考案は、これまでの保温力を持ち尚且保護力もそなえ、携帯に便利でファッション性を備え、形状を問わず、簡単に装着出来るドリンク保温、保護用ワンタッチマルチホルダーカバーの提供にある。
【課題を解決するための手段】
【０００４】  本考案は、上記の如き課題を解決する為に開発したものであって、発泡プラスチックシートと伸縮可能な生地（ジャージ等）との間に板バネ（コンベックス）材を挟み込み、被覆することにより、シートそのもにコンベックス材と同様の習性をもたせることにある。すなわち保温、保護力の高い発泡材と、小さな力でも容易にカール状に巻き付くコンベックス材の融合により携帯時、平らな状態でも、丸めた状態でも持つことが出来、装着時これまで面倒であった手間を、瞬時巻き付かせることが出来るのである。加えて、ジャージ部分の色を変えたり、プリントをすることにより、ファッション性の高いドリンク用保温、保護、携帯ワンタッチマルチホルダーカバーの提供にある。【０００５】    以下、本考案のドリンク用保温・保護ワンタッチマルチホルダーカバーについて図１及び図２に基づき詳細に説明する。
符号１は、ジャージ生地（伸縮可能な生地）であり、符号２の発泡材同様，符号３のコンベックス材が動かぬように挟み込み、コンベックス材の特性を図１で構成される製品そのものに持たせることにある。伸縮可能な生地とは、繊維そのものが伸縮する素材で作られた生地及び素材を問わず、織り方により生地が伸縮性を持つようになったものを言う。これらに対し、必要に応じて印刷及び転写等をすることが出来る。【０００６】    符号２は、発泡プラスティックシートであり段落０００５で述べた様に符号１との間に符号３を挟み込み符号３の特性を図１で構成される製品そのものに持たせることにある。又符号２の素材の特性である断熱性や弾力性によりドリンクの熱を逃がさないようにし、かつ保護するものである。発泡プラスチックシートとは、発泡ラバー、発泡ポリウレタン、発泡ポリエチレン、発泡ポリプロピレン、発泡シリコンゴムを言う。これらに対し、必要に応じてフィルムをラミネートにしたり印刷をすることが出来る。【０００７】  符号３は、コンベックスであり、板バネの役割をする。段落０００５及び０００６で述べた様に符号１と符号２で符号３を挟み込む事により符号３の特性を図１で構成される製品そのものに持たせることにある。なお、本実施形態によるマルチホルダーカバーは、図１に示したように、２つのコンペックス材を含む。また、コンベックス材とは、ステンレス鋼及び鉄鉱素材からなる弾性材のことであり、平らな状態では、薄板状の帯板が、縦長方向にたいして湾曲状に構成され使用時には素材の弾性特性によって瞬時にカール状に構成される。（図３、図４参照）【０００８】  本考案は、以上のような構成からなる為、これを使用する場合は、図５に示すように缶に対して符号２側より缶を叩くように押し当てると、図５のように押し当てた部分からカール状に缶に巻き付いていく。後は、自然にコンベックスの特性で、全体に巻き付いていく。
【実施例】
【０００９】  次に本考案の実施例を図７から図中にもとずいて具体的に説明する。コンベックス材を２本を、発泡プラスチックとジャージ生地で動かぬ様挟み込んだシートで図６の様に缶に巻き付けて見た。ビール缶を手に取りカバーを付けるまでに１秒とかからなかった。このカバーの上から素手で持ったが、冷たさを感じなかった。又、１０分後に飲んで見たが、冷たさを保持していた。このカバーを外すとき、左手で缶を右手でカバーの端を持ち、缶を巻き戻す様に半回転させるだけで簡単に外すことが出来た。また使用後両手でコンベックス部分を軽く押し伸ばしてやるともとの平板状に戻った。【００１０】  次に図８のように水の入ったペットボトル５００Ｍｌサイズに対して、ビール缶同様に巻き付けた。ペットボトルは、丸タイプと角タイプの２種類でも変わりなく、瞬時に巻き付き、暖かさや冷たさを感じることなく持つことが出来た。１０分後に飲んでみたが、冷たさはさほど変わりなく、熱かった水は少しぬるくなっていが、まだ暖かく感じられた。【００１１】図９では、ビール瓶を使って同様にカバーを巻き付けた。瓶は少し水滴がついていたが、カバーはこれまで同様、瞬時巻き付き発泡材の特性により滑ることなくカバーの上から持ってグラスにビールをつぐことが出来た。冷たさは、素手には感じられなかった。取り外す時も軽く右手でカバーの端を引いてやると簡単に外すことが出来た。【００１２】    このワンタッチマルチホルダーカバーは、ドリンク用の保温、保護のみならず、他の使用方法も多く見いだされる。例えば、図１０のようにショッピングバッグのハンドル部分に巻き付けヒモが手に食い込むのを防ぎ手の痛みをなくし、持ちやすくすることが出来た。【００１３】  また、携帯して持ち歩く時ショルダーバッグのベルト部分に巻き付けておけば邪魔にならず、いつでも使用可能となる。（図１１参照）バッグの色に合わせてプリント柄の物やマークを入れればファッション性を高めることが出来る。【００１４】  図１２のように、簡単に腕や手首に取り付る事が出来た。また服の上からでもずれ墜ちずに取り付けることが出来た為、腕章としての利用も出来た。
【考案の効果】
【００１５】    以上のように本考案は、コンベックス弾性材と発泡材及び伸縮可能な生地を結合させ、各々の持つ特性を失うことなく保温、保護に優れ、スピーディーにワンタッチでこれをなす。
【００１６】  このような融合素材特性を有する弾性カバーを用いることによって次のような多くの効果を有する。
ア．従来の缶用保温カバーは、定められたサイズでしか使用できなかったが、マルチカバーの長さがその商品の円周よりも長ければ巻き付けることが可能になった。
イ．本考案のワンタッチマルチホルダーカバーを用いれば、その取り付けが簡単であると同時に、使用中に滑り落ちることもなく容易に掴むことが出来る。
ウ．本考案からなるワンタッチマルチホルダーカバーは、構造がいたって簡単である為、安価で量産が可能である。
エ．また、生地の色を変えたりプリント柄やマークを入れることにより、ファッション性が増し、モバイル時代の携帯必需品としての価値が高く、会社名や広告の名入れにも最適でありＳ．Ｐ．商品としての価値も高い。
オ．携帯する時には何でも巻き付けることが出来る為、ショルダーバッグのベルト部分や手首にも巻くことが出来る。また、アウトドアスポーツにおいてもテニスラケットの柄の部分やスキーではストックを２本束ねることにも使えて便利である。
カ．更に、本考案のワンタッチマルチホルダーカバーのサイズやバネの本数を作り替えることにより多種多様の製品化が可能と考えられる。例えば、赤ちゃんや子供がいる家では、手摺りや机の角にこのワンタッチマルチホルダーカバーを巻いて、ケガ防止のクッション材としても活用できる。
【図面の簡単な説明】
【００１７】
【図１】  本考案のドリンク用保温、保護ワンタッチマルチホルダーカバーを示した斜視図
【図２】  本考案のドリンク用保温、保護ワンタッチマルチホルダーカバーの構造を示した斜視図
【図３】  図１、図２に示した本考案のドリンク用保温、保護ワンタッチマルチホルダーカバーに装着する帯状の弾性材を示した斜視図
【図４】  図３に示した帯状の弾性材の特徴と説明概要図
【図５】  本考案の装着時における巻き付け前の状態を示した概要図
【図６】  本考案の装着時における巻き付いていく状態を示した概要図
【図７】  本考案の使用状態を示した概要図。
【図８】  本考案の他の実施例の使用状態を示した概要図
【図９】  本考案の他の実施例の使用状態を示した概要図
【図１０】  本考案の他の実施例の使用状態を示した概要図
【図１１】  本考案の他の実施例の使用状態を示した概要図
【図１２】  本考案の他の実施例の使用状態を示した概要図
【符号の説明】
【００１８】  １      ジャージ
２      発泡プラスチックシート
３      弾性材（コンベックス材）
４      缶ビール
５      ペットボトル
６      瓶ビール
７      ショッピングバッグ
８      ショルダーバッグ
９      片腕
【図１】
0003130970.tif 000003
【図２】
0003130970.tif 000004
【図３】
0003130970.tif 000005
【図４】
0003130970.tif 000006
【図５】
0003130970.tif 000007
【図６】
0003130970.tif 000008
【図７】
0003130970.tif 000009
【図８】
0003130970.tif 000010
【図９】
0003130970.tif 000011
【図１０】
0003130970.tif 000012
【図１１】
0003130970.tif 000013
【図１２】
0003130970.tif 000014
【手続補正書】
【提出日】平成19年1月25日(2007.1.25)
【手続補正１】
【補正対象書類名】実用新案登録請求の範囲
【補正対象項目名】全文
【補正方法】変更
【補正の内容】
【実用新案登録請求の範囲】
【請求項１】
少なくとも２以上のバネ材による弾性材を発泡プラスチックシートとジャージ生地で挟み込み、保温及び保護材として瞬時に缶、ボトル等に巻き付けることができ、非使用時には略平坦な形状を維持することを特徴とするワンタッチマルチホルダーカバー。